(57)【要約】【課題】遠赤外線放射性を付与されたミストの製造方法を提供する。【解決手段】遠赤外線放射物質と接触して得られる水を貯水部に充填し、水および空気を通過させる多孔質体を有する回転体に該貯水部の水を衝突させ、この衝突により水を飛散させてミストを発生させることを特徴とするミストの製造方法。発生したミストは、サウナ室に導入される。【選択図】図１
2014097276.tif 000002
【特許請求の範囲】
【請求項１】
遠赤外線放射物質と接触して得られる水を貯水部に充填し、水および空気を通過させる多孔質体を有する回転体に該貯水部の水を衝突させ、この衝突により水を飛散させてミストを発生させることを特徴とするミストの製造方法。
【請求項２】
遠赤外線放射物質と接触して得られる水が、貯水部の水中に遠赤外線放射物質を存在させることにより得られる、請求項１に記載のミストの製造方法。
【請求項３】
貯水部の外部で水を遠赤外線放射物質と接触させて、得られる水を貯水部に供給する請求項１に記載のミストの製造方法。
【請求項４】
水を遠赤外線放射物質と接触させる温度が５〜１００℃である請求項１〜３のいずれか１項に記載のミストの製造方法。
【請求項５】
請求項１〜４のいずれか１項に記載のミストの製造方法で発生したミストで充満されたサウナ室。
【請求項６】
サウナ室の内面の少なくとも一部が、遠赤外線を放射・吸収し遠赤外線の放射率（積分放射率）が０．６以上である遠赤外線放射物質を含む材料で構成された室内面構成部材からなる請求項５に記載のサウナ室。
【請求項７】
原料水を遠赤外線放射物質と５〜１００℃で、３時間以上接触させて得られた水。
【請求項８】
接触が、遠赤外線放射物質充填層を含む水流通経路内で水を循環させることにより、水を遠赤外線放射物質充填層と繰り返し接触させる請求項７に記載の水。
【請求項９】
接触が、貯水槽の水中に遠赤外線放射物質を存在させることにより、水を遠赤外線放射物質接触させる請求項７に記載の水。
【請求項１０】
水を３〜７２時間、遠赤外線放射物質と接触させる請求項７〜９のいずれか１項に記載の水。
【発明の詳細な説明】
【技術分野】
【０００１】
本発明は、ミストの製造方法に関し、特にナノミストの製造方法およびそれを用いたサウナ室に関する。
【背景技術】
【０００２】
従来、特にサウナ用に適したミストおよびマイナスイオンの発生方法が提案され、実用化されている（たとえば、特許文献１および２）。そこでは、被処理空気を通過させるべき処理室内において、回転体に水を衝突させ飛散させることにより、ミストによるウォーターカーテンを発生せしめ、処理室内を通過する被処理空気の陰イオンの濃度をこのウォーターカーテンに接触させることにより増加させる陰イオン発生方法において、水及び空気が通過可能な網目を回転体に設けることにより、網目を構成する目の内壁にも水を衝突させて表面積を増大させたことを特徴とする陰イオン発生方法、ならびに送風機により外気が通過する処理室と、該処理室の下部に設けられた貯水部と、この貯水部に下部を水没させ上方に向かって径が拡大する擂り鉢状の回転体と、この回転体の外周に位置し、該回転体と共に回転しこの回転による遠心力で飛散される水及び空気が通過可能な円筒状の多孔体とを備えたものに於いて、前記多孔体の外周には間隔を置いて、回転体の上方から流入する外気を多孔体の外周に案内する空気案内筒を設けると共に、該空気案内筒は楕円形状で多孔体との間には一対の大流通路と一対の小流通路とを形成した事を特徴とするマイナスイオン及びナノミスト発生装置が提案されている。
【先行技術文献】
【特許文献】
【０００３】
【特許文献１】特許第３０５１０５５号公報
【特許文献２】特開２００９−２６８７７５号公報
【発明の概要】
【発明が解決しようとする課題】
【０００４】
本発明は、さらに遠赤外線放射性を付与されたミストの製造方法を提供することを目的とする。
【課題を解決するための手段】
【０００５】
本発明は上記の問題を解決するために、以下の発明を提供するものである。
（１）遠赤外線放射物質と接触して得られる水を貯水部に充填し、水および空気を通過させる多孔質体を有する回転体に該貯水部の水を衝突させ、この衝突により水を飛散させてミストを発生させることを特徴とするミストの製造方法。
（２）遠赤外線放射物質と接触して得られる水が、貯水部の水中に遠赤外線放射物質を存在させることにより得られる、上記（１）に記載のミストの製造方法。
（３）貯水部の外部で水を遠赤外線放射物質と接触させて、得られる水を貯水部に供給するに上記（１）に記載のミストの製造方法。
（４）水を遠赤外線放射物質と接触させる温度が５〜１００℃である上記（１）〜（３）のいずれかに記載のミストの製造方法。
（５）上記（１）〜（４）のいずれかに記載のミストの製造方法で発生したミストで充満されたサウナ室。
（６）サウナ室の内面の少なくとも一部が、遠赤外線を放射・吸収し遠赤外線の放射率（積分放射率）が０．６以上である遠赤外線放射物質を含む材料で構成された室内面構成部材からなる上記（５）に記載のサウナ室。
（７）原料水を遠赤外線放射物質と５〜１００℃で、３時間以上接触させて得られた水。
（８）接触が、遠赤外線放射物質充填層を含む水流通経路内で水を循環させることにより、水を遠赤外線放射物質充填層と繰り返し接触させる上記（７）に記載の水。
（９）接触が、貯水槽の水中に遠赤外線放射物質を存在させることにより、水を遠赤外線放射物質接触させる上記（７）に記載の水。
（１０）水を３〜７２時間、遠赤外線放射物質と接触させる上記（７）〜（９）のいずれかに記載の水。
【発明の効果】
【０００６】
本発明によれば、遠赤外線放射性を付与されたミストの製造方法を提供し得る。
【図面の簡単な説明】
【０００７】
【図１】本発明のミストの製造方法に用いるミスト製造装置の一態様を示す模式図である。
【発明を実施するための形態】
【０００８】
本発明のミストの製造方法においては、遠赤外線放射物質と接触して得られる水を貯水部に充填し、水および空気を通過させる多孔質体を有する回転体に該貯水部の水を衝突させ、この衝突により水を飛散させてミストを発生させる。
【０００９】
遠赤外線放射物質は遠赤外線を放射・吸収する物質をいうが、本発明で用いる遠赤外線放射物質は、遠赤外線の放射率が０．６以上、好ましくは０．８以上、さらに好ましくは０．９以上の遠赤外線放射物質である。遠赤外線は、波長が３μｍ〜１０００μｍの電磁波のことをいう。材料の放射率は、同一条件における理想的な黒体の遠赤外線の放射エネルギーをＷ0とし、当該材料の遠赤外線の放射エネルギーをＷとした場合に、Ｗ／Ｗ0によって定義される。
【００１０】
このような遠赤外線放射物質は、通常、いわゆる無機材料であり、天然及び人工の鉱物、金属及び半金属の酸化物、窒化物、炭化物、硫化物、水酸化物等、炭酸塩などの塩やそれらの複合物（複塩）、炭などのほか、貝殻などの天然素材なども含まれる。また、本発明の遠赤外線放射物質の殆どは広義のセラミックス材料（金属以外の無機材料をいう。）であるが、有機物や有機物由来の物質であっても上記放射率の条件を満たすならば用いることができる。
【００１１】
本発明において、遠赤外線放射物質の形態は、格別に制約はなく、代表的には、遠赤外線放射物質からなる、パネルまたはタイル状等の一体物、遠赤外線放射物質の粒子、粉末、骨材等（これらをもまとめて粒子ともいう。）を含む部材、遠赤外線放射物質の皮膜を有する部材などの形態であることができる。粒子の場合、その直径は通常５〜５００μｍ程度から選ばれる。皮膜は、適当な皮膜形成技術、例えば熔射、蒸着などのＰＶＤ技術、あるいはＣＶＤ技術により、遠赤外線放射物質を対象表面にコーティングして形成することができる。
【００１２】
貯水部には遠赤外線放射物質と接触して得られる水が充填されるが、この水は貯水部の水中に上記遠赤外線放射物質を存在させることにより得られる。あるいは、貯水部の外部で水を遠赤外線放射物質と接触させて、得られる水を貯水部に供給することにより得られる。そこでは、静置した容器内の水中に上記遠赤外線放射物質を存在させることにより、または遠赤外線放射物質充填層を含む水流通経路内で水を循環させて、水を遠赤外線放射物質充填層と繰り返し接触させることにより、得られる水を貯水部に供給する。
【００１３】
本発明方法においては、水を遠赤外線放射物質と接触させる温度は５〜１００℃であるのが好適であり、さらに好適には３５〜８０℃である。目的に応じて、適宜温度を選定できるが、たとえば得られるミストを３６〜４５℃の低温サウナ室に用いる場合、貯水槽の水温を４０〜５０℃とするのが最適である。接触時間は、温度、使用目的にもよるが、通常１分間以上である。
【００１４】
本発明方法においては、ついで水および空気を通過させる多孔質体を有する回転体に貯水部の水を衝突させ、この衝突により水を飛散させてミストを発生させる。
【００１５】
貯水部から回転体への送水は、たとえば貯水部に貯留された水をポンプにより汲み上げ、放出して回転体の多孔質体（網目等）に衝突させる方法、この貯水部に下部を水没させ上方に向かって径が拡大する、たとえば、すり鉢状の回転体を設け、その回転による遠心力で飛散される水を回転体の外周にあって、ともに回転する多孔質体に衝突させる方法、等が選ばれる。
【００１６】
回転体の形状は特に制限されないが、円筒状等の筒状、円錐体状または板状が好適である。回転体は水および空気を通過させる多孔質体を有し、ステンレス鋼等の金網、ナイロン、ポリエステル、ポリプロピレン等の樹脂網、多数の細孔を形成した板または筒状体等により形成される。網目は、通常５〜１００メッシュ（目開きは線径に依存するが、約４ｍｍ〜０．１４ｍｍ）程度から選定される。回転体の回転数は通常１００〜５００ｒｐｍ程度から選ばれる。
【００１７】
多孔質体は、回転体自体に設けてもよく、回転体とは別に配置することもできる。
【００１８】
図１は、上記のミストの製造方法に用いるミスト製造装置の一態様を示す模式図である。図中、１はミスト製造装置、２は上方に向かって径が拡大する、すり鉢状の回転体、３は回転体２の外周に形成された多孔質体、４は貯水部、５はモータを示す。
【００１９】
本発明方法によれば約１０〜５００nmのいわゆるナノミストを容易に得ることができ、しかもミストは遠赤外線放射物質と接触されているので、遠赤外線放射物質としての性質を有し、また水分子のクラスターは遠赤外線と共鳴して水分子同士の水素結合が切断されて小さくなる、いわゆる「水分子のクラスターの細分化」が生じていると考えられるので、たとえば得られたミストを適温に調整してサウナ室に導入することにより、快適なサウナ効果が得られる。すなわち、からだにやさしい温熱刺激により、免疫担当細胞である白血球を支配する自立神経を調整し、ストレスを増強する交換神経緊張を抑制することが期待され、さらに遠赤外線放射物質の性質を帯びることか温熱刺激を一層促進することができる。
サウナ室は、通常、天井、内壁および／または床面である内面は、ヒノキ等の木材、ＣＦＲＰ（炭素繊維強化プラスチックス）等の繊維強化プラスチックス、等が好適に使用される。プラスチックスとしては、たとえばエポキシ樹脂が使用される。
本発明においては、好ましくはサウナ室の内面の少なくとも一部が、前記のミストの製造に用いられる、遠赤外線を放射・吸収し遠赤外線の放射率（積分放射率）が０．６以上である遠赤外線放射物質を含む材料で構成された室内面構成部材からなる。その内面は、サウナ室空間内に露出した面を有し、ドアのような開閉手段を備えることもできる。ミストは、サウナ室外のミスト発生機で発生させて室内に導入してもよいし、室内のベンチ下に設けられたミスト発生機で発生させることもできる。
本発明によれば、ミスト自体が、遠赤外線放射物質を含む材料で構成された室内面構成部材と共鳴し合い、この熱振動により温度上昇がもたらされる。
【００２０】
さらに、本発明で得られるミストは、低温設定とすることにより野菜、果物等の鮮度保持、ワインセラーでのワインの貯蔵等にも使用可能であり、常温設定では加湿器や空気清浄器としても使用できる。
【００２１】
さらに、本発明においては、原料水を遠赤外線放射物質と５〜１００℃、好適には３５〜８０℃で、３時間以上接触させて飲料に適した水を得ることができる。この接触は、好適には遠赤外線放射物質充填層を含む水流通経路内で水道水等の原料水を循環させることにより、水を遠赤外線放射物質充填層と繰り返し接触させることにより達成される。あるいは、接触は、貯水槽の水中に遠赤外線放射物質を存在させることにより、水を遠赤外線放射物質接触させることによっても達成される。接触時間は、通常３〜７２時間程度、好ましくは２４〜７２時間である。このようにして得られる水は、いわゆる「活性水」または「機能水」として知られる水に比べて、３時間以上、特に２４時間以上と接触時間が長いため、「細分化された水分子クラスター」が長期間維持され得るものである。
【産業上の利用可能性】
【００２２】
本発明によれば、遠赤外線放射性を付与されたミストの製造方法を提供し得る。
【符号の説明】
【００２３】
１    ミスト製造装置
２    回転体
３    多孔質体
４    貯水部
５    モータ
【図１】
2014097276.tif 000003